(57)【特許請求の範囲】
【請求項１】
装置本体に形成された記録媒体の挿入・排出口と、前記挿入・排出口を塞ぐ位置に設けられて装置本体の内方と外方の双方へ回動可能なドアと、前記ドアを前記挿入・排出口を塞ぐ中立姿勢に付勢するトーションばねと、が設けられた記録媒体駆動装置の開閉ドア装置において、
前記ドアは両側部が装置本体側に回動自在に軸支されており、前記トーションばねは２本の腕部で前記ドアを前後から挟むようにして前記ドアに装着され、前記２本の腕部は共にドアの一方の側部から外方へ突出するように折り曲げられており、
前記装置本体側には、ドアの側部から突出する前記２本の腕部の対向内側を支持する支持部が設けられていることを特徴とする記録媒体駆動装置の開閉ドア装置。
【請求項２】
前記ドアの側部から軸が突出して設けられ、装置本体側には前記軸を回動自在に支持する軸受穴が開口しており、前記トーションばねの巻き本体部が、前記ドアに対し前記軸と同軸に取付けられている請求項１記載の記録媒体駆動装置の開閉ドア装置。
【請求項３】
前記ドアには、前記腕部に対向する抜け止め部が形成されている請求項１または２記載の記録媒体駆動装置の開閉ドア装置。
【発明の詳細な説明】
【０００１】
【発明の属する技術分野】
本発明は、テープカセットやディスクなどの記録媒体が挿入され且つ排出される挿入・排出口と、この挿入・排出口を塞ぎ且つ装置本体の内方と外方の双方へ回動するドアが設けられた記録媒体駆動装置の開閉ドア装置に関する。
【０００２】
【従来の技術】
図７は、従来の開閉ドア装置を示す斜視図であり、例えば実開昭６２−１９８５８５号公報に開示されているものである。
【０００３】
図７に示すドア１は、記録媒体駆動装置の前面パネルに形成された挿入・排出口を塞ぐ位置に設けられている。ドア１の側面１ａの上部には、回動軸４が突出形成されている。前記回動軸４は装置本体に形成された軸受穴に回動自在に支持されている。このドア１は、記録媒体が装置本体に挿入されるときには装置本体の内方へ回動し、記録媒体が装置本体から排出されるときには装置本体の外方へ回動する。
【０００４】
前記回動軸４にはトーションばね７が装着され、トーションばね７の２本の腕部７ａと７ｂは前記側面１ａに沿って延び、２本の腕部７ａと７ｂは装置本体に設けられた支持部６を挟むように装着される。またドア１の側面１ａには両腕部７ａと７ｂの間に位置する付勢片５が設けられている。
【０００５】
前記ドア１は前記トーションばね７により挿入・排出口を塞ぐ中立姿勢に保持される。ドア１が一方へ回動するときには、一方の腕部７ａが支持部６に支持された状態で付勢片５が他方の腕部７ｂを押し、ドア１が他方へ回動するときには、腕部７ｂが支持部６に支持された状態で付勢片５が腕部７ａを押す。したがって、ドア１がいずれの方向へ回動しても、回動後にドア１が図７に示す中立姿勢に復帰できる。
【０００６】
【発明が解決しようとする課題】
図７に示す開閉ドア装置では、ドア１を装置本体に組み込む際に、まずトーションばね７をドア１の回動軸４に装着する。そして回動軸４を装置本体の軸受穴に挿入するのと同時に、トーションばね７の腕部７ａと７ｂを指などで互いに離れる方向へ広げて前記支持部６の両側に掛ける作業が必要である。
【０００７】
よって、ドア１を装着するときに細かな作業が必要になる。また腕部７ａと７ｂを互いに広げるときに、トーションばね７が回動軸４から外れやすい。さらに腕部７ａと７ｂを無理に広げようとすると、トーションばね７が疲労し破損することもある。
【０００８】
本発明は上記従来の課題を解決するものであり、トーションばねをドアに完全に保持させた状態で組み込むことができる記録媒体駆動装置の開閉ドア装置を提供することを目的としている。
【０００９】
また本発明は、ドアを装置本体に軸支させるときに、トーションばねに無理な力を作用させずにトーションばねの腕部を装置本体に掛止させることができる記録媒体駆動装置の開閉ドア装置を提供することを目的としている。
【００１０】
【課題を解決するための手段】
本発明は、装置本体に形成された記録媒体の挿入・排出口と、前記挿入・排出口を塞ぐ位置に設けられて装置本体の内方と外方の双方へ回動可能なドアと、前記ドアを前記挿入・排出口を塞ぐ中立姿勢に付勢するトーションばねと、が設けられた記録媒体駆動装置の開閉ドア装置において、
前記ドアは両側部が装置本体側に回動自在に軸支されており、前記トーションばねは２本の腕部で前記ドアを前後から挟むようにして前記ドアに装着され、前記２本の腕部は共にドアの一方の側部から外方へ突出するように折り曲げられており、
前記装置本体側には、ドアの側部から突出する前記２本の腕部の対向内側を支持する支持部が設けられていることを特徴とするものである。
【００１１】
上記本発明では、トーションばねをドアに装着した状態で、２本の腕部がドアを前後から確実に保持しているため、ドアを装置本体に装着するときにトーションばねが外れにくい。また２本の腕部がドアの一方の側部から突出しているため、ドアを軸方向へ向けて装着したときに、前記２本の腕部を装置本体の支持部に対して容易に装着することが可能である。
【００１２】
したがって、前記支持部での前記腕部を支持する部分の間隔は、前記腕部の対向間隔よりも小さいかまたは同等あるいはわずかに大きいことが好ましい。
【００１３】
好ましくは、前記ドアの側部から軸が突出して設けられ、装置本体側には前記軸を回動自在に支持する軸受穴が開口しており、前記トーションばねの巻き本体部が、前記ドアに対し前記軸と同軸に取付けられている構造である。
トーションばねを軸と同軸に装着して保持させることにより、ドアに対し回動軸を支点とした確実な回動付勢力を与えることが可能である。
【００１４】
なお本発明では、装置本体側から軸が突出し、ドアに前記軸が挿通される軸受穴が開口しているものであってもよい。
【００１５】
さらに、前記ドアには、前記腕部に対向する抜け止め部が形成されていることが好ましい。
上記のように抜け止め部が設けられていると、ドアにトーションばねを装着した時点で、ドアから前記ばねが外れにくくなる。
【００１６】
【発明の実施の形態】
以下、本発明について図面を参照して説明する。
図１は、本発明の実施の形態として車載用ＭＤプレーヤの開閉ドア装置が設けられた操作パネルを示す正面図である。
【００１７】
この車載用のＭＤ（ミニディスク）プレーヤ１０は、自動車のコンソールパネルの収納部などに埋設され、図１に示す操作パネル１１が車室内に向けられ、車室内側から操作可能となっている。操作パネル１１には、ＭＤ（記録媒体）を挿入し排出する挿入・排出口１２が開口し、パネル表面には液晶表示パネル１３、各種の操作釦１４が設けられている。ＭＤプレーヤ１０の内部には、ＭＤの駆動機構やアンプなどの各種電子回路が内蔵されている。
【００１８】
図２は前記操作パネル１１を装置本体の内側から見た分解斜視図、図３はドアの支持部を装置本体の外側から見た部分分解斜視図、図４はドアの回動軸にトーションばねが取付けられた状態を示す斜視図、図５はドアの支持部を示す部分正面図、図６は図５の側面部である。
【００１９】
図２に示すように、操作パネル１１の背部には、開閉ドア装置２０が設けられている。開閉ドア装置２０は、支持枠２２と、これに取付けられるドア２１およびトーションばね２３を有している。
【００２０】
図２に示すように、前記操作パネル１１には、挿入・排出口１２が開口し、この挿入・排出口１２の周囲から装置本体内方（−Ｙ方向）に向けて枠体１２Ａが一体に形成されている。枠体１２Ａの一方の側（＋Ｘ側）の側面には、円弧状の切欠き１２ａが形成されている。
【００２１】
図２および図３に示すように、ドア２１の両側部の上方には、図示＋Ｘ方向および−Ｘ方向に延びる支持部２１Ａ，２１Ｂが形成され、その先端に回動軸２１ａ，２１ｂが一体に突出形成されている。また、一方の支持部２１Ａの下部位置には、ドア２１の側面２１Ｃから図示＋Ｘ方向に延びる付勢片２１Ｄが形成されている。この付勢片２１Ｄの表面（図示＋Ｙ側の面）には、係止突起（抜け止め部）２１Ｅが突出形成されている。
【００２２】
図２に示すように、支持枠２２は箱型形状をしている。前記支持枠２２の側部には、両側方に延びる支持片２２Ａ，２２Ｂが設けられており、この支持片２２Ａ，２２Ｂに取付穴２２ａおよび２２ｂがそれぞれ形成されている。前記ドア２１およびトーションばね２３が前記支持枠２２に取り付けられた状態で、前記取付穴２２ａ，２２ｂにねじ２４ａ，２４ｂが挿通され、操作パネル１１のねじ孔１１ａ，１１ｂに螺着されて、前記枠体１２Ａと支持枠２２とが連続するように取付けられる。
【００２３】
図３に示すように、支持枠２２の両側面には支持突起２２Ｃ，２２Ｄが形成され、この支持突起２２Ｃおよび２２Ｄに軸受穴２２ｃ，２２ｄがそれぞれ形成されている（支持突起２２Ｄと軸受穴２２ｄは図２参照）。前記ドア２１の回動軸２１ａ，２１ｂは前記軸受穴２２ｃ，２２ｄに回動自在に支持される。
【００２４】
図２と図３に示すように、支持枠２２の側板は、二重構造の側壁で構成されており、その一部には円弧状の切欠き２２Ｅが形成されている。支持枠２２が、操作パネル１１の枠体１２Ａの内側に連続するように取付けられた状態で、図６に示すように、枠体１２Ａに形成された円弧状の切欠き１２ａと、支持枠２２に形成された前記円弧状の切欠き２２ＥとがＹ方向に連続する。支持枠２２に支持された前記ドア２１は、切欠き１２ａと切欠き２２Ｅの中間に位置する。
【００２５】
図３に示すように、支持枠２２の一方の側面の前記二重構造の外壁側には、扇形状の切欠孔２２Ｆが形成されている。この切欠孔２２Ｆの内端および前記支持突起２２Ｃの下側の壁面にそれぞれ支持部２２Ｇと２２Ｈが形成されている。
【００２６】
図２および図３に示すように、トーションばね２３は、巻き本体部２３ｃと、この巻き本体部２３ｃの両端から延びる腕部２３ａ，２３ｂとを有している。この腕部２３ａ，２３ｂはほぼ直角方向に折り曲げられている。
【００２７】
次に、上記開閉ドア装置の組立作業を説明する。
図４に示すように、トーションばね２３の巻き本体部２３ｃは、ドア２１の支持部２１Ａに回動軸２１ａと同軸またはほぼ同軸となるように外挿される。このとき、腕部２３ａと腕部２３ｂは弾性力に対向して互いに離れるように広げられ、ドア２１の付勢片２１Ｄを弾性的に挟持するように装着される。また一方の腕部２３ａは、係止突起（抜け止め部）２１Ｅよりもドア中心側に掛けられる。
【００２８】
前記トーションばね２３は、腕部２３ａ，２３ｂで付勢片２１Ｄを前後から弾性的に挟むようにして装着され、また一方の腕部２３ａにはドアの側面２１Ｃ側から係止突起２１Ｅが対向しているため、トーションばね２３はドア２１から外れることなく一体に組み付けられる。また、トーションばね２３がドア１に組み込まれた状態で、腕部２３ａと２３ｂは、ドア２１の側面からほぼ垂直方向（回動軸２１ａの延びる方向と同じ方向）へ突出している。
【００２９】
この状態で、ドア２１が支持枠２２に組み付けられる。この取付け作業では、先ず回動軸２１ａを支持枠２２の軸受穴２２ｃに挿入する。このとき同時に前記トーションばね２３の腕部２３ｂが支持枠２２の円弧状の切欠き２２Ｅを通過し外壁に形成された扇形状の切欠孔２２Ｆに挿入される。また他方の腕部２３ａは、支持枠２２の支持部２２Ｇへ掛けられる。よって、ドア２１の回動軸２１ａが軸受穴２２ｃに挿入された時点で、トーションばね２３の腕部２３ａと腕部２３ｂにより、支持枠２２の支持部２２Ｇと２２Ｈとが挟持される。
【００３０】
このように、トーションばね２３がドア２１に外れないように取付けられているため、回動軸２１ａを軸受穴２２ｃに挿入する作業を行うだけで、トーションばね２３の腕部２３ａと２３ｂを支持枠２２に支持させることが可能である。腕部２３ａと２３ｂを容易に支持枠２２に支持させるためには、図４に示すように、ドア２１に取付けられた状態のトーションばね２３の腕部２３ａと２３ｂとの対向間隔をＷ２、支持枠２２での支持部２２Ｈと２２Ｇとの対向間隔をＷ１としたときに、Ｗ２＞Ｗ１またはＷ２＝Ｗ１あるいは、Ｗ１がＷ２よりもわずかに大きい程度であることが好ましい。
【００３１】
前記一方の回動軸２１ａを前記軸受穴２２ｃに挿入した後に、ドア２１の他方の回動軸２１ｂを軸受穴２２ｄに挿入すると、ドア２１が支持枠２２に完全に取付けられる。すなわちこの開閉ドア装置２０では、ドア２１にトーションばね２３を取付けた後に、回動軸２１ａと２１ｂを軸受穴２２ｃと２２ｄに挿入するだけで、トーションばね２３に特別な変形力を与えなくても組み立てを完了できる。
【００３２】
その後に、ねじ２４ａ，２４ｂにより、支持枠２２を操作パネル１１の枠体１２Ａに連接するようにして取付ける。このときトーションばね２３の腕部２３ａは、枠体１２Ａに形成された円弧状の切欠き１２ａ内に挿通される。
【００３３】
この開閉ドア装置２０では、図６の符号Ｐに示すように、ドア２１の側面２１Ｃから突出するトーションばね２３の腕部２３ａと２３ｂが支持枠２２の支持部２２Ｇと２２Ｈを挟持している状態で、ドア２１は垂直姿勢（中立姿勢）に維持されている。
【００３４】
図６の符号Ｑに示すようにＭＤ（記録媒体）が操作パネル１１の外方から挿入・排出口１２に−Ｙ方向へ挿入されると、ＭＤで押されたドア２１が−α方向へ回動する。このときトーションばね２３の腕部２３ａは支持枠２２の支持部２２Ｇに支持された状態で、他方の腕部２３ｂは支持枠２２の円弧状の切欠き２２Ｅおよび切欠孔２２Ｆ内を−α方向へ回動する。よって、装置本体内へのＭＤの挿入が完了すると、ドア２１がトーションばね２３の弾性力で中立姿勢で復帰する。
【００３５】
また、図６の符号Ｒに示すように装置本体内からＭＤが排出されるときには、ＭＤの排出力で、ドア２１が＋α方向へ回動させられる。このときは、トーションばね２３の腕部２３ｂが支持枠２２の支持部２２Ｈに支えられた状態で、腕部２３ａが枠体１２Ａの円弧状の切欠き１２ａ内を移動する。そして、ＭＤの排出が完了すると、ドア２１が図６に示す中立姿勢に復帰させられる。
【００３６】
なお、前記トーションばね２３の腕部２３ａと２３ｂは必ずしも直角に折り曲げられていなくても、トーションばね２３がドア２１に装着された状態で、腕部２３ａと２３ｂがドア２１の側面から装置本体の支持部（支持枠）側へ突出していればよい。また記録媒体はＭＤに限られず、他のディスクであってもよい。
【００３７】
【発明の効果】
以上詳述した本発明によれば、トーションばねをドアに取付けた状態で、トーションばねがドアを確実に保持している。よってドアを組み込む途中でトーションばねが外れることがない。またドアを取付けたときに、トーションばねの腕部が装置本体に確実に支持されるので、組立時にトーションばねに無理な力を与える必要が無い。
【図面の簡単な説明】
【図１】本発明の開閉ドア装置が設けられた記録媒体駆動装置の操作パネルを示す正面図、
【図２】図１の操作パネルおよび開閉ドア装置を操作パネルの内側から示す分解斜視図、
【図３】ドアの支持部を図２と逆側から見た部分分解斜視図、
【図４】ドアにトーションばねが取付けられた状態を示す部分斜視図
【図５】支持枠にドアが取付けられた状態を示す部分正面図、
【図６】支持枠とドアが操作パネルに取付けられた状態を示す側面図、
【図７】従来の開閉ドア装置を示す部分斜視図、
【符号の説明】
１０  ＭＤプレーヤ
１１  操作パネル
１２  挿入・排出口
２０  開閉ドア装置
２１  ドア
２１Ａ，２１Ｂ  支持部
２１Ｃ  側面
２１Ｄ  付勢片
２１Ｅ  係止突起（抜け止め部）
２１ａ，２１ｂ  回動軸（軸）
２２ｃ，２２ｄ  軸受穴
２２  支持枠
２２Ａ，２２Ｂ  支持片
２２Ｃ，２２Ｄ  支持突起
２２Ｅ  切欠き
２２Ｆ  切欠孔
２２Ｇ，２２Ｈ  支持部
２３  トーションばね
２３ｃ  巻き本体
２３ａ，２３ｂ  腕部
【図１】
0003604585.tif 000002
【図２】
0003604585.tif 000003
【図３】
0003604585.tif 000004
【図４】
0003604585.tif 000005
【図５】
0003604585.tif 000006
【図６】
0003604585.tif 000007
【図７】
0003604585.tif 000008